(57)【特許請求の範囲】
【請求項１】
駆動源であるモータと、該モータによって回転されるロータと、該ロータの情報を表示する表示部と、操作パネルとを備えた遠心分離機において、前記操作パネルから入力される新規ロータの情報を記憶する読み書き可能な第１記憶部と予め記憶されているロータの情報の入力されている読み出し専用の第２記憶部から成る記憶手段を有する制御装置を備え、前記表示部に前記第１及び第２記憶部に記憶されている新規登録ロータ及び予め記憶されているロータの型名及びその情報を一覧表示することを特徴とした遠心分離機。
【請求項２】
前記情報は、前記ロータの型名に応じた最高回転速度、回転半径、ロータ識別番号であることを特徴とした請求項１記載の遠心分離機。
【請求項３】
前記第１記憶部は、ＥＥＰＲＯＭであることを特徴とした請求項１記載の遠心分離機。
【請求項４】
前記表示部には、前記第２記憶部に予め記憶されている前記ロータの型名よりも先に前記操作パネルから前記第１記憶部に入力された前記ロータの型名を表示することを特徴とした請求項１記載の遠心分離機。
【請求項５】
前記表示部には、前記操作パネルから前記第１記憶部に入力された前記ロータの型名と、前記第２記憶部に予め記憶されている前記ロータの型名とに分けて表示することを特徴とした請求項１記載の遠心分離機。
【請求項６】
前記表示部には、前記操作パネルから前記第１記憶部に入力された前記ロータの型名と、前記第２記憶部に予め記憶されている前記ロータの型名とを、前記ロータの種類別に分類し、且つ前記ロータの最高回転速度順にならべかえて表示することを特徴とした請求項１記載の遠心分離機。
【発明の詳細な説明】
【０００１】
【発明の属する技術分野】
本発明は、複数のロータを交換して使用可能な遠心分離機の表示部におけるロータの表示方法に関するものである。
【０００２】
【従来の技術】
近年の遠心分離機は、使い勝手向上のために多くの機能を付加させ、より多くの情報が表示できるＬＣＤ（液晶ディスプレイ）等を用いて、ロータの半径から回転中の遠心加速度（×ｇ）や遠心効果（ｇ×sec）を表示したり、或いはこれらの数値から回転速度や分離時間を逆算する機能、使用できるロータを一覧表示する機能など多機能化するケースが増えている。
【０００３】
この中で、表示部にロータを一覧表示する場合には、遠心分離機に内蔵してあるＲＯＭに、予めロータの種類別に分類し最高回転速度順にならべられたデータを記憶しておき、使用者がロータの一覧表示を選択した時にＬＣＤ等に表示するようにしている。そして、使用者はこの一覧表から目的のロータを探して入力部等から選択すれば、そのロータに関する情報が引出され、上記した演算や各種機能の活用が可能となる。
【０００４】
一方、この種の遠心分離機では試料の量や種類、或いは試料を入れるチューブの形状、分離条件に応じてロータを交換して使用するため、ロータには最高回転速度が同じでもロータの形状、寸法が異なるロータや、ロータの形状、寸法が同等でも最高回転速度が異なるロータが次々に開発され発売されいる状況にある。そのため、使用者は新しく開発発売されたロータを追加購入することも多く、遠心分離機には操作パネルからロータの最高回転速度やロータの回転半径、ロータ形名、ロータの識別データ等のロータに関する情報を入力し遠心機本体の制御部に記憶させる機能をもたせてあるものもある。例えば、日立工機（株）が平成８年より販売しているCS150GX/120GX/100GX形遠心機では、追加購入した新形ロータの情報を入力し記憶させ遠心加速度の演算をする機能を持たせてある。しかし、これらの登録機能はあくまでも新しいロータを使用できる状況をつくるに留まっており、使用者が操作パネルから入力した新しいロータが、ロータ一覧に追加、表示されるものではない。なお、追加ロータを一覧に表示する遠心機も提供されているが、特定の名前を付けて登録する（例えばロータ▲１▼、ロータ▲２▼というように）方法を取っているにすぎない。
【０００５】
【発明が解決しようとする課題】
上記したようにロータの一覧を表示させ、使用者が必用なロータを簡単に選択できるようにすることで操作性を向上させることができるが、従来の遠心分離機では、ロータ一覧を表示させる場合、遠心分離機本体に予め登録されているロータの一覧表示に留まり、あとから使用者が入力記憶させたロータが表示できないという問題があった。
【０００６】
また、特定の名前（例えば前記したようにロータ▲１▼、ロータ▲２▼等）を一覧表示するものについては登録者以外どのロータをどの名前で登録したか分らない、或いはどこかに明示しなければならないという問題があった。
【０００７】
本発明の目的は、上記問題を解消し、使用者が追加したロータの情報をロータ一覧に表示できるようにすることで操作しやすい遠心機を提供することである。また、追加したロータの表示方法を工夫し、より使いやすいロータ一覧機能を提供することである。
【０００８】
【課題を解決するための手段】
上記目的は、表示部に使用者が操作パネルから入力し記憶させたロータと予めＲＯＭに記憶してあるロータの両方を表示することにより達成される。
【０００９】
【発明の実施の形態】
図１は本実施例における遠心分離機の制御装置を示すブロック図である。操作パネル１のスイッチ部12で入力した運転条件は、マイコン２を介して読み書き可能な第１記憶部であるElectrically Erasable and Programmable Rom（ＥＥＰＲＯＭと呼ばれており以下ＲＡＭと称す）に記憶され、表示部11に表示される。ＲＡＭ４は遠心分離機の電源がＯＦＦしても、バッテリー５によりデータが保持されるよう構成されている。
【００１０】
遠心分離機で使用できる複数のロータに関する情報（最高回転速度、ロータの回転半径、ロータ形名、ロータ識別データ等）は、予め第２記憶部であるＲＯＭ３のロータＡ情報記憶部3a、ロータＢ情報記憶部3b、・・・に記憶してある。
【００１１】
今、遠心分離機を運転する時、マイコン２はＲＯＭ３またはＲＡＭ４に記憶してあるロータ情報記憶部のロータ識別データとロータ識別センサ８の信号とを比較し、ロータ６を識別し表示部11にロータ形名を表示すると共にロータ６に関する情報を基に操作パネル１から入力された回転速度がロータの最高回転速度を超えていないかチェックしたり、ｇ演算をしたりする。
【００１２】
一方、ロータ識別センサ８に対応する標識（図示せず）を有していないロータ（通常の場合、古いロータ）を使用する時、ロータ識別センサ８が故障した時、およびロータを遠心分離機にセットせず（冷蔵庫等で試料と共に予冷している時等）に遠心分離機の演算機能を用いてロータの回転半径と設定回転速度から遠心加速度を求めたり、逆に遠心加速度から回転速度を求める時等の場合にはロータを自動で識別できないことから、スイッチ部12から希望するロータの識別No．を入力し、該ロータの固有情報を引出す必要がある（通常、情報が無い場合、安全装置が働き運転できない仕組みになっている）。しかし、この識別No．をいちいち記憶しておく、また使用毎に取扱説明書を見るといったことは現実的でない。
【００１３】
そこで、遠心分離機の表示部11に使用可能ロータの一覧を表示させる機能を持たせてある。使用者はスイッチ部12の特定のキー（例えばロータキー）を押すとロータ一覧を表示させることができ、希望のロータを容易に探して選択できる。ただし、一覧に表示されるロータはＲＯＭ３に記憶されているものに限られることから、ＲＯＭ３に記憶されていない新形のロータを購入したときは、使用者がスイッチ12からロータに関する情報を入力し、ＲＡＭ４のロータ情報記憶部4aまたは4b〜4gのいずれかの領域に記憶できるよう構成されている。操作パネル１から入力するロータに関する情報は、最高回転速度、ロータの回転半径、ロータ形名、ロータ識別No．などである。
【００１４】
使用者が新規ロータの情報を入力するとそのロータに関する情報が引出せる環境ができることから、新規ロータの使用が可能になると共に、スイッチ部12のロータキーを押しロータ一覧表示させた場合、マイコン２はＲＯＭ３のロータ情報記憶部3a、3b、・・・からロータ形名の情報を取込むと共にＲＡＭ４のロータ情報記憶部4a、4b、・・・からもロータ形名の情報を取込み合わせて表示部11に表示させるようにすれば従来表示できなかった新規登録ロータの形名を一覧に加えて表示することが可能となる。
【００１５】
次に表示方法について説明する。なお、説明にあたっては日立工機（株）が販売しているロータを例に取り、R10A3、R10S2、R12A5と称する形名のロータを使用者が新規に操作パネル１から入力したとして説明する。使用者はある手順によってR10A3、R10S2、R12A5ロータの形名、最高回転速度、回転半径等の情報および識別No．をスイッチ部12から入力しロータ情報記憶部4a、4b、・・・に記憶させる。そして、スイッチ部12のロータキー）を押しロータ一覧画面を表示させるとマイコン２がROM３に登録されているロータ形名と共に新規に登録した上記R10A3、R10S2、R12A5ロータ形名も合わせて表示させる訳であるが、ロータ一覧は無秩序に並べると見にくいためルールを決めて表示している。このルールの一実施例を以下に説明する。図５に示すようにはじめの文字は適合する遠心機本体を示す記号51である。次の数字はロータの最高回転速度52を意味し、1000倍した値が最高回転速度となる。次の文字はロータの種類53を表し、一般に固定角ロータ、水平ロータ、垂直ロータ、連続ロータ、特殊ロータ等に分類され、本実施例ではＡは固定角ロータ、Ｓは水平ロータ、Ｖは垂直ロータというように英文字で分類している。次の数字または文字はロータの追番号54である。また、ロータ一覧表示画面にあるロータ形名の後のNo．はロータ識別No．であり、数字をスイッチ部12から入力することでロータを選択できるようにしているためである。
【００１６】
以上のことから、新規登録したロータを一覧表示に加える場合もこのルールに従って表示させれば見易い表示とすることができる。図２はこのルールに従って表示させた一例である。なお、ロータの種類が多い場合、表示エリアの制約から本実施例のように数ページにわたっての表示となり、図２（a）はロータ一覧表示画面の一ページ目、図２（b）は二ページ目、図２（c）は三ページ目となり、スイッチ部12の特定のキーを押すことで改ページすることができる。新規に登録したR10A3、R10S2、R12A5ロータはそれぞれ二ページ目、三ページ目に順序正しく追加、表示されている。
【００１７】
このようにルール通りに表示するためには、マイコン２はＲＯＭ３に予め記憶してあるロータ形名と、使用者が操作パネル１からＲＡＭ４のロータ情報記憶部4a〜4gに記憶させたロータ情報(R10A3、R10S2、R12A5)をロータの種類53により分類する。次にロータの種類別に分類されたロータ形名をロータの最高回転速度52により最高回転速度順にならべかえる。同じ回転速度のロータが複数あるときは、ロータの追番号54の順にならべる。このようにマイコン２によりロータ形名をならべかえてロータ一覧表示するとロータ情報記憶部4aに記憶してあるロータ形名(R10A3)はロータ表示部22に表示し、ロータ情報記憶部4bに記憶されたロータ形名(R10S2)はロータ表示部23に表示し、ロータ情報記憶部4gに記憶されたロータ形名(R12A5）はロータ表示部21に表示させることができる。
【００１８】
よって新規登録ロータをルールに従って表示することができるが、使用者は一覧表示されるロータ全てを購入して使うことはまずなく、通常購入されるロータは数個と限られる。即ちロータ一覧の中で実際に使われるものは一部に限られるのが通常である。これに対し、新しく購入したロータは確実に所有されており、使用頻度も比較的高いことから単にルール通りに一覧表示させたのでは新規登録ロータが使わないロータの間に入ってしまい見にくい上、場合によっては改ページをしないと見つけだせないという欠点もある。
【００１９】
そこで、図３（a）〜（c）に示すように操作パネル１から入力しＲＡＭ４に記憶してあるロータ形名を先に表示し、続いてＲＯＭ３に予め記憶してあるロータ形名を表示するようにすればさらに使い勝手をよくすることができる。マイコン２はまずＲＡＭ４のロータ情報記憶部4aの内容を見に行きロータの情報が記憶してある場合、ロータ情報記憶部4aのロータ形名R10A3（No．45）を表示領域31のロータ表示部311に表示し、次にロータ情報記憶部4bの内容を見に行きロータ情報が記憶してある場合、上記同様ロータ情報記憶部4bのロータ形名R10S2（No．4）をロータ表示部312に表示する。以下同様な動作を行いロータ情報記憶部4gのロータ形名R12A5（No．1）をロータ表示部313に表示しする。当然のことながら、ロータ情報記憶部にロータの情報がない時は、ロータの形名表示をつめて表示する。次に予めＲＯＭ３にロータの種類別に分類し最高回転速度順にならべて記憶してあるロータ形名を表示する。本実施例では、固定角ロータの最高回転速度の高いロータ形名を表示領域31のロータ表示部314から表示し、表示領域31の表示が終わると表示領域32に移動し表示する。ロータ一覧画面を改ページしロータ一覧画面２にした時は、上記同様に表示領域32に続くロータ形名を表示する。同様に表示領域33を表示し、表示領域34の途中で固定角ロータの表示が終了した場合、ロータの種類が異なるため、表示領域35に変えて水平ロータのロータ形名を表示するようにする。
【００２０】
或いは図４（a）のように表示領域31を操作パネル１から入力したロータのロータ一覧表示専用として使用し、ＲＯＭ３に記憶してあるロータを表示領域32から表示するようにすると、操作パネル１から入力しＲＡＭ４に記憶したロータ形名と、あらかじめＲＯＭ３に記憶してあるロータ形名を分けて表示できるため、見やすい表示とすることができる。この場合ＲＡＭ４に操作パネルから入力したロータ情報がない時は、ＲＯＭ３に記憶してあるロータ形名を表示領域31から表示するようにする。
【００２１】
また、図4（b）のようにＲＡＭ４のロータ情報記憶部4a〜4gまでのロータ形名をロータの種類別に分類し、最高回転速度順に表示しても見やすく使い勝手が良くなる。
【００２２】
更にロータの種類を分けて表示する機能をもたせ、例えば固定角ロータを選択し表示させるときは図４（c）に示すように、ＲＡＭ４のロータ情報記憶部4a〜4gに記憶してあるロータ形名の固定角ロータのみを最高回転速度順にならべて表示領域31に表示し、続けてＲＯＭ３に記憶してあるロータ形名を表示領域31に表示するようにしてもよい。
【００２３】
以上のように使用者が操作パネル１のスイッチ部12から入力したロータの形名等を一覧表示できるようにしたと共に、ロータ一覧表示するとき先に表示するようにしたり、スイッチ部12から入力しＲＡＭ４に登録したロータとＲＯＭ３に予め記憶してあるロータとを分けて表示できるようにしたので、ロータ一覧表示の中から目的とするロータを探し出すのが容易になり、使い勝手をさらに向上させることができるようになる。
【００２４】
【発明の効果】
本発明によれば、ロータの一覧表示する場合、使用者がロータを購入し操作パネルからロータに関する情報を入力し登録したロータを合わせて一覧表示できるようにしたので、登録したロータを確実に表示することができ使い勝手の向上を図ることができる。また、登録したロータを一覧表示のはじめに表示することで、使用者が操作パネルから入力し登録した使用頻度の高いロータの形名を容易に探すことができ、操作性を向上を図ることができる。
【図面の簡単な説明】
【図１】  本発明になる遠心分離機の制御装置を示すブロック図である。
【図２】  本発明になる表示部を示すロータ一覧画面である。
【図３】  本発明になる表示部を示す他のロータ一覧画面である。
【図４】  本発明になる表示部を示す更に他のロータ一覧画面である。
【図５】  本発明になるロータ型名の入力を示す説明図である。
【符号の説明】
１は操作パネル、２はマイコン、３はＲＯＭ、3aはロータＡ情報記憶部、3bはロータＢ情報記憶部、４はＲＡＭ、4aはロータ情報記憶部、4bはロータ情報記憶部、4gはロータ情報記憶部、５はバッテリー、６はロータ、７はモータ、８はロータ識別センサ、11は表示部、12はスイッチ部、21〜23はロータ表示部、31〜35は表示領域、311〜314はロータ表示部、51は適合する遠心機本体を示す記号、52はロータの最高回転速度、53はロータの種類、54はロータの追番号である。
【図１】
0004172885.tif 000002
【図２】
0004172885.tif 000003
【図３】
0004172885.tif 000004
【図４】
0004172885.tif 000005
【図５】
0004172885.tif 000006